(57)【要約】所定の操作通路を進行するドラッグ部材によって設定された方向に移動するように予定されたウェブ材料（４）の一部（４０）と係合する少なくとも一つの貫通切り込み口（２）を備えた少なくとも一つの部分を有し、前記少なくとも一つの切り込み口（２）がヘリコイダル形状であるウェブ材料ドラッグ用ドラッグ部材。【選択図】図３
2016500621.tif 000002
【特許請求の範囲】
【請求項１】
所定の操作通路を進行するドラッグ部材によって設定された方向に移動するように予定されたウェブ材料（４）の一部（４０）と係合する少なくとも一つの貫通切り込み口（２）を備えた少なくとも一つの部分を有し、前記少なくとも一つの切り込み口（２）がヘリコイダル形状であることを特徴とするウェブ材料ドラッグ用ドラッグ部材。
【請求項２】
前記ドラッグ部材の断面が中実であり、中空でないことを特徴とする請求項１記載のドラッグ部材。
【請求項３】
前記ドラッグ部材の断面が両凸形状であることを特徴とする請求項１記載のドラッグ部材。
【請求項４】
前記ドラッグ部材の断面が星形形状であることを特徴とする請求項１記載のドラッグ部材。
【請求項５】
前記ドラッグ部材の断面が円形形状であることを特徴とする請求項１記載のドラッグ部材。
【請求項６】
前記ドラッグ部材が熱可塑性ポリウレタンで形成されていることを特徴とする請求項１記載のドラッグ部材。
【請求項７】
前記ドラッグ部材が複数本の撚りストランドからなることを特徴とする請求項１記載のドラッグ部材。
【請求項８】
ペーパー加工用プラントを構成する複数の機械に対して使用されることを特徴とする請求項１記載のドラッグ部材。
【発明の詳細な説明】
【技術分野】
【０００１】
本発明は、ウェブ材料をドラッグする（引く）ためのドラッグ部材に関する。
【背景技術】
【０００２】
ある産業作業において、各操作地点においてウェブ状材料が特定の工程処理される複数の操作地点を通過する通路に沿って当該ウェブ状材料は適切にガイドされる必要があることは知られている。
【０００３】
例えば、図１はペーパー加工プラントの複数の操作地点を示しており、図１においてウェブ状材料は２枚のペーパープライ（Ｖ１，Ｖ２）によって構成されている。このペーパープライは２台の異なる巻き戻し機（Ｕ１，Ｕ２）に設置された個々のリールから巻き戻される。そして、そのペーパープライは各ペーパープライの側面に絵又は装飾的モチーフを印刷する印刷ユニット（Ｐ）を通過した後、エンボッサー（Ｅ）に入り、ついでボール紙筒状コアに２枚のプライを巻き付けることによってペーパーロール又は「ログ」が形成される巻き取りユニット（Ｒ）に達する。当該ログは、例えば、トイレットペーパー又はキッチンペーパーとして使用される、より短尺のロールとするために横方向に切断されることとなる。
【０００４】
もしかすると、ペーパープライ及びその材質にかけられた張力によって、当該ペーパープライが破られる可能性がある。その場合、そのペーパープライの破れた端部を関連する操作地点（上記した例における巻き取りユニットＲ又はエンボッサーＥ又は印刷ユニットＰ）まで搬送することが必要である。そのために、通常「ペーパー通しベルト」といわれるドラッグベルトが使用される。このベルトは長方形の断面を有しかつ等間隔をおいて搬送される破れたプライの端部が挿入される長手方向中央部に貫通切り込み口が設けられている。結果的には、前記ペーパープライは前記ベルトに係止されて、それによって、所望の操作地点までドラッグされる（引かれる）こととなる。図２Ａ，２Ｂ及び２Ｃは、上記したタイプのドラッグベルトの上面図、側面図及び正面図をそれぞれ示す。それらの図面において、前記ベルトは符号Ｃで示され、個々の長手方向切り込み口は符号Ｔで示され、そして符号ＰＵは前記ベルトをガイドするプーリーを示す。
【０００５】
前記ベルトは長さが数十メートルになる通路に沿って展開されている。このことは前記ベルトの支持機構及びガイド機構を設ける必要性が生じかつ当該ベルトに適度な張力を付与する必要性が生じるという二つの技術的欠点を暗示している。
【０００６】
それ故、これらのベルトは、関連するプラントの特定の構造によって設けられた通路の所定の位置に適宜設置されたプーリーによって駆動される。これらのプーリーは、前記ベルトの正しい支持を確実にするもので、前記ベルトの幅と実質的に同一の幅を有している。
【０００７】
結果的には、ペーパー加工プラントにおいては通常二枚又は三枚のペーパープライが同時に処理されることを考慮すると、当該プラントに設けられる機構における大きなコンパクト化の現在の要請と対称的に、前記ベルトのガイドシステムは比較的大きな容積を必要とする。さらに、前記ペーパープライを搬送するために張力が必要であると仮定すれば、当該ペーパープライは前記ベルトの長手方向切り込み口に挿入されたその部分の近傍において容易に破れ又は当該ベルト自体から脱落してしまうことがある。
【発明の概要】
【発明が解決しようとする課題】
【０００８】
本発明の主たる目的は、前記した欠点を解消し又は少なくとも大きく減少することにある。
【課題を解決するための手段】
【０００９】
この効果は、本発明に従って、請求項１に示される特徴を有するペーパードラッグベルトを作製するという着想を採用することによって達成されている。本発明の他の特徴は、従属請求項の主題である。
【発明の効果】
【００１０】
本発明によれば、ドラッグ面におけるペーパープライの破れの危険性を減少させるとともに当該ペーパープライをドラッグする手段の全体の寸法を低減することによって当該ペーパープライの適正なドラッグを確保することが可能となる。さらに、本発明のドラッグ部材は従来のペーパードラッグベルトに比べて追加的なコストを必要としない。
【００１１】
本発明のこれらの特徴及び利点並びにさらなる特徴及び利点は、本発明の実際的な例示として与えられるが限定する意味で考慮されるべきではない以下の説明を、添付の図面と併せて読めば、当業者によってよりよく理解されるであろう。
【図面の簡単な説明】
【００１２】
【図１】ペーパー加工用プラントを示す概略図である。
【図２Ａ】従来のペーパードラッグベルトを示す平面図である。
【図２Ｂ】従来のペーパードラッグベルトを示す側面図である。
【図２Ｃ】従来のペーパードラッグベルトを示す断面図である。
【図３】本発明の一つの実施形態によるドラッグ部材を備えたペーパードラッグベルトを示す側面図である。
【図４】本発明の一つの実施形態によるドラッグ部材を備えたペーパードラッグベルトを示す斜視図である。
【図５】図３及び図４に示されたペーパードラッグベルトを２本使用する場合を示す平面図である。
【図６】図３及び図４に示されたペーパードラッグベルトを２本使用する場合を示す縦断面図である。
【図７】図３及び図４に示されたペーパードラッグベルトを２本使用する場合を示す側面図である。
【図８】図３及び図４に示されたペーパードラッグベルトにおいて当該ペーパードラッグベルトに係止されるペーパープライの端部を受けるための切り込み開口部を設けた場合を示す斜視図である。
【図９】図３及び図４に示されたペーパードラッグベルトにペーパープライの端部を係止している状態を示す斜視図である。
【図１０】本発明のドラッグ部材の他の実施形態を示す図面で、当該ドラッグ部材の一部を切り欠いて示す平面的説明図である。
【図１１】本発明のドラッグ部材の他の実施形態を示す図面で、当該ドラッグ部材の一部を切り欠きかつ切り込み口を形成した状態を示す平面的説明図である。
【図１２】本発明のドラッグ部材の他の実施形態を示す図面で、当該ドラッグ部材の断面的説明図である。
【図１３】図３〜図９に示したドラッグ部材の断面形状の一例を示す断面的説明図である。
【図１４】図３〜図９に示したドラッグ部材の断面形状の他の例を示す断面的説明図である。
【図１５】図３〜図９に示したドラッグ部材の断面形状の別の例を示す断面的説明図である。
【発明を実施するための形態】
【００１３】
図１〜図９に基づいて本発明の基本的構造について説明する。本発明のペーパードラッグベルト（１）は長手方向に展開する主たる部材（即ち、他の２つの部材に対して主たる大きさを有している部材）によって構成されている。当該主たる部材はペーパープライ（４）の端部又はフラップ（４０）が係止される切り込み口（２）を備えた部分を含む。当該ペーパープライ（ウェブ）は前記ペーパードラッグベルトによって設定された方向に沿って搬送されるようになっている。当該ペーパードラッグベルトは数個の機械（例えば、図１に関連して上記したようなペーパー加工用プラントにおける機械類）に沿って所定の操作通路を進行する。
【００１４】
好ましくは、前記切り込み口（２）はヘリコイダル（らせん面）形状であり、そして前記ベルト（１）は円形断面、好ましくは中実の円形断面を有している。
【００１５】
好ましくは、前記切り込み口（２）は前記ベルト（１）に沿って規則的な間隔で繰り返して形成され、従って、当該ベルト（１）は通常は所定の間隔で互いに隔てられている複数個のヘリコイダル（らせん面）形状の切り込み口（２）を有している。
【００１６】
例えば、前記ベルトは熱可塑性ポリウレタン、即ち商標「Polycord」のもとにハバシット・エージー（Habasit AG）によって販売されているタイプのポリウレタン、から形成可能である。
【００１７】
前記切り込み口（２）を開口しかつ前記ベルト（１）に取り付けられる前記ペーパープライ（４）の端部又はフラップ（４０）を前記切り込み口に挿入するために、作業者は前記切り込み口（２）の右側及び左側に隣接して前記ベルト（１）の二箇所を把持しそして図８の矢印「Ｍ」によって概略的に示された反対方向にそれらを回転させる必要がある。このような方法によって、前記切り込み口（２）は開口しそして前記ペーパープライ（４）のフラップ（４０）を挿入するに十分な空隙を作り出す。前記ベルト（１）の前記把持していた部分を放すことによって、前記ウェブ（４）のフラップ（４０）は前記切り込み口（２）の内部にロックされ、当該切り込み口（２）は前記ベルト（１）が形成されている材料の弾性によって自然に閉じることとなる。
【００１８】
前記ベルト（１）に係止された、即ち前記切り込み口（２）の内部にロックされた前記ペーパープライ（４）のフラップ（４０）は前記切り込み口（２）の形状に対応するらせん構造を取るので、その係合は従来のシステムの使用よりも一層効果的である。
【００１９】
さらに、前記ベルトの断面積は減少し、その結果、図５及び図６に示したように、同一のガイドプーリー（３）上に一本の替わりに二本のベルト（１）を設置することが可能となる。図６を図２Ｃと比較すると、ガイドプーリー及び支持体（３；ＰＵ）の等しい全体の容積に関して、同一の空間が一本の従来のベルト（Ｃ）によるよりも本発明の二本のベルト（１）によって占められていることがわかる。
【００２０】
前記ベルト（１）は従来のペーパードラッグベルトによって通常通過される操作通路に沿って設置されることができ、そして従って、図１に示したようなプラントに関しては、巻き戻し及び巻き取りユニットに沿った通路を通過することができるとともに巻き戻し及びエンボス加工ユニットの間の通路又はエンボス加工及び巻き取りユニットの間の通路を通過することができる。
【００２１】
前記ベルト（１）の断面は円形（図１３に示したように）とすることができ又その他の異なった形状とすることもできる。例えば、前記ベルト（１）は、図１４に示したように、両凸形状、即ち、二つの凹部と結合された二つの相対する凸側面（１０）を有する形状とすることができる。その他には、図１５に示したように、星型断面、即ち、対応する陥没部（１１）によって隔てられた一連の突出部（１２）を有する形状とすることができる。全てのこれらの例において、前記ベルト（１）の断面は中実である。
【００２２】
また、替わりの手段としては、前記した例に関連して記載したような付与された捩じれによって前記ストランド（１４）が露出される所定の領域においては、その捩じれの結果としてそのストランドの間隔に起因して前記切り込み口（２）の開口部が形成される場合を除いて、前記ドラッグ部材（１）は被覆材（１５）によって被覆された数本の撚られたストランド１４からなるロープとすることも可能である。
【００２３】
この例においては、前記ドラッグ部材（１）は複数個のらせん状貫通切り込み口（２）を有しており、それらの切り込み口（２）の各々はドラッグされる前記ペーパープライ（４）の端部又はフラップ（４０）をロックするために用いられる。前記切り込み口（２）は同一のストランド（１４）によって形成され、即ち、それらは前記ストランド間に存在する空間に対応している。図１２には図１０に示したドラッグ部材の断面図が示され、即ち、挿入不能な切り込み口（２）を有する形状が示されている。
【００２４】
本発明のドラッグ部材は、前記ベルトにウェブ状材料を接触させた状態で所定の操作通路に沿って前記ウェブ状材料を搬送する必要がある全ての場合に使用可能であることは明らかである。
【００２５】
実際上は、採用された解決手段の技術的範囲から逸脱することなくかつ本願特許として許可された保護範囲内に含まれる状態で、実施の詳細事項は、開示された部材の形状、サイズ、性能、型式及び配置におけるものと均等の態様で変化させることが可能である。
【図１】
2016500621.tif 000003
【図２Ａ】
2016500621.tif 000004
【図２Ｂ】
2016500621.tif 000005
【図２Ｃ】
2016500621.tif 000006
【図３】
2016500621.tif 000007
【図４】
2016500621.tif 000008
【図５】
2016500621.tif 000009
【図６】
2016500621.tif 000010
【図７】
2016500621.tif 000011
【図８】
2016500621.tif 000012
【図９】
2016500621.tif 000013
【図１０】
2016500621.tif 000014
【図１１】
2016500621.tif 000015
【図１２】
2016500621.tif 000016
【図１３】
2016500621.tif 000017
【図１４】
2016500621.tif 000018
【図１５】
2016500621.tif 000019
【国際調査報告】
2016500621.tif 000020
2016500621.tif 000021